(57)【特許請求の範囲】
【請求項１】
光ディスクからの再生信号であるラジアルプッシュプル信号を２値化する第１の２値化手段と、前記ラジアルプッシュプル信号を２値化する第２の２値化手段と、前記第１の２値化手段の出力または前記第２の２値化手段の出力を、選択信号により選択する信号選択手段とを備え、前記第１の２値化手段は、周波数処理器と第１の増幅器とを介して第１の比較器により２値化し、前記第２の２値化手段は、周波数処理器と前記第１の増幅器よりも増幅率の高い第２の増幅器とを介して第２の比較器により２値化し、前記選択信号は、前記光ディスクに記録マークを形成するマーク部とするか、記録マークを形成しないスペース部とするかを示す記録データのデューティ比を変えた信号であり、前記マーク部に相当するデューティの長さを前記記録データに相当するデューティの長さよりも長くすることを特徴とするランドプレピット検出装置。
【請求項２】
光ディスクに記録するためのレーザー変調パルスの先頭パルスに相当するパルスを生成するマスク信号生成器と、前記マスク信号生成器の出力により第１の２値化手段の出力をマスクして信号選択手段に出力するマスク器とを備えた請求項１記載のランドプレピット検出装置。
【請求項３】
ラジアルプッシュプル信号の信号振幅または信号レベルを検出し、これに基づいて比較レベルを設定するレベル検出設定手段を備え、第１の比較器または第２の比較器に前記比較レベルを設定する請求項１ないし２のいずれかに記載のランドプレピット検出装置。
【請求項４】
比較レベルは、再生時と記録マーク形成時とのレーザパワーの比率、または再生時と記録マーク非形成時とのレーザパワーの比率に基づき設定される請求項３記載のランドプレピット検出装置。
【請求項５】
第１の比較器または第２の比較器は、ラジアルプッシュプル信号と、前記ラジアルプッシュプル信号に周波数処理器を介した信号との比較を行う請求項１ないし４のいずれかに記載のランドプレピット検出装置。
【請求項６】
周波数処理器は、所定のレベルに信号をクランプするレベルクランパーと、バンドパスフィルタとから構成されることを特徴とする請求項５記載のランドプレピット検出装置。
【請求項７】
少なくとも、請求項１ないし６のいずれかに記載されたランドプレピット検出装置と、前記ランドプレピット検出装置内の周波数処理器の出力を２値化してウォブル信号として出力する第３の比較器とを備えた光ディスク装置。
【請求項８】
レベル検出設定手段は、再生時に比して、記録時にラジアルプッシュプル信号の波形中心からウォブル信号の反対側に比較レベルを設定する請求項３ないし５のいずれかに記載のランドプレピット検出装置。
【発明の詳細な説明】
【０００１】
【発明の属する技術分野】
本発明は、ＤＶＤ−Ｒなどの光ディスクに設けられたランドプレピットを再生するランドプレピット検出装置と、少なくともこれを設けた光ディスク装置に関する。
【０００２】
【従来の技術】
大容量の記録型の光ディスクとして、近年、ＤＶＤ−Ｒ（digital video disc− recordable）やＤＶＤ−ＲＷ（digital video disc − rewritable）が登場してきている。ＤＶＤ−ＲやＤＶＤ−ＲＷは、記録データをあらかじめカッティングされた溝（グルーブ）に添って記録してゆくが、その記録のタイミングの為に、アドレスと、記録タイミングを示す役割を持ったランドプレピットという、溝の間にあらかじめ記録されたピットが形成されている。
【０００３】
図１９はかかる光ディスクの溝（グルーブ）と、ランドプレピットを模式的に図示した平面図である。グルーブは、図１９にハッチングで示している。グルーブは、低い周期で一定周期蛇行した溝となっており、この周期に合わせて、記録データは記録されて行く。この溝の蛇行は、ウォブルと呼ばれ、光ディスクからの再生信号は、一定のサイン波状の信号となり、ウォブル信号と呼ばれる。
【０００４】
ランドプレピットは、図１９に、黒塗りで示しているように、ウォブルの頂点に位置し、グルーブとグルーブの中間、すなわち、ランドに形成されている。
【０００５】
このような、ＤＶＤ−Ｒなどの光ディスクへの記録は、その記録用のクロックをウォブルの周期に同期させ、なおかつ、ランドプレピットで位置的な位相を決定して、記録をおこなってゆく。
【０００６】
ウォブルに同期させることによって、記録データを一定の周期で記録することは可能であるが、途中で記録を中断したり、中断したところから再び記録を始めたりのいわゆる、書きつなぎをするときに、どこの位相から記録を行うかが決まらない。そこで、記録位置を特定するために、ランドプレピットで位置的な位相を合致させている。この位相関係に関しては、図２０に示す。
【０００７】
図２０は、従来例を説明する信号図である。図２０において、（ａａ）は光ディスクに実際に記録される記録マーク、（ｂｂ）は記録マークを作るか、記録マークを作らない、スペースにするかを決定する記録データ、（ｃｃ）は光ディスクから再生し、２値化されたランドプレピット信号、（ｄｄ）は光ディスクから再生されるラジアルプッシュプル信号（以下、単にプッシュプル信号と称す）であり、各信号を時間的に合わせて図示している。
【０００８】
図２０に示すように、記録信号のシンクマークである、１４Ｔ信号と、ランドプレピットの信号とを合致させて記録する必要があることがフォーマット上で規定されている。
【０００９】
図２１は従来例のランドプレピット検出装置の構成を示すブロック図である。図２１において、２１は、周波数処理器としてのハイパスフィルターであり、光ディスクからの再生信号であるプッシュプル信号が入力される。周波数処理器（ハイパスフィルター）２１を通過したプッシュプル信号は、ウォブル信号成分が除去されるので、増幅器２２によって、信号振幅を調整した後、比較器２３によって、所定値と比較し２値化することにより、２値化されたランドプレピット信号を得ている。
【００１０】
図２２は、かかるプッシュプル信号から、ランドプレピット信号を生成する動作を示す信号図である。図２２において、信号（ｅｅ）は、光ディスクからの読み出し信号のプッシュプル信号であり、ウォブル信号の頂点にランドプレピットのパルス的な信号が乗った信号となっている。このプッシュプル信号（ｅｅ）をハイパスフィルター２１に通して、ウォブル信号成分を除去することにより、信号（ｆｆ）のように、ランドプレピットを基準レベルと比較できるようになり、比較器２３によって２値化することにより、信号（ｇｇ）のように２値化されたランドプレピット信号を生成することができることとなる。
【００１１】
ここで、検出したランドプレピット信号を光ディスク装置の中でどのように用いているか、図２３を用いて説明する。
【００１２】
図２３は、ランドプレピット検出装置を有する、光ディスク装置のブロック図である。図２３において、１は光ディスクであり、回転モータ２によって回転駆動される。３は光ピックアップであり、レーザーによって光ディスク１からの信号を再生し、また、光ディスク１へ情報を記録するものである。光ピックアップ３からの再生信号は、再生信号処理器４によって、増幅や差動加算の処理が加えられたのち、光ディスク１の半径方向のプッシュプル信号（ラジアルプッシュプル信号）が生成され、ウォブル検出装置５、ランドプレピット検出装置６に入力される。
【００１３】
ウォブル検出装置５によって検出された、光ディスク１の蛇行溝に相当するウォブル信号と、ランドプレピットに相当するランドプレピット信号は、ＰＬＬ（Phase Locked Loop）回路７に入力され、記録クロックを生成している。ＰＬＬ回路７の中では、ウォブル信号およびランドプレピット信号は、それぞれ比較器８，９に入力され、比較器８，９の出力は、ローパスフィルタ（ＬＰＦ）１０，１１を介して、加算器１２で加算される。加算器１２で加算された信号は、ウォブル信号の周波数誤差と、ランドプレピットの位相誤差をもった信号であり、電圧制御発振器（ＶＣＯ）１３に入力される。
【００１４】
ＶＣＯ１３の出力は、すなわち記録クロック信号であるが、この信号は、分周器１４を介してウォブル信号側の位相比較器８に戻され、さらに、移相器１５を介して、ランドプレピット側の位相比較器に戻されることにより、ＰＬＬの働きが行われ、ＶＣＯ１３の出力すなわち、ＰＬＬ回路７の出力の記録クロックは、ウォブル周期に同期し、ランドプレピットの位相に合致したクロックとなる。
【００１５】
記録クロックは、エンコーダ１６によって、記録データに変換され、マルチパルス生成回路１７によって、光ピックアップ３のレーザーを早いスピードでスイッチングさせることにより、記録マークの形を整えることのできる、記録パルスを生成している。
【００１６】
記録パルスは、レーザー駆動回路１８を介して、光ピックアップ３のレーザーをパルス的に駆動して、光ディスク１に情報を記録している。レーザーのパワーは、レーザーパワー設定手段１９によって、設定されている。
【００１７】
記録マークを形成するときのレーザーパワーの変調を図２４で示す。図２４に示すように、記録時、記録マークを形成するときには、トップパルスと、マルチパルスで高いライトパワーまで、光量をあげている。記録マークを形成しない、スペース部では、バイアスパワーと呼ばれる、ライトパワーよりも低いパワーでレーザー光は設定される。
【００１８】
このように、バイアスパワーと、ライトパワーの間をパルス的に変調されて、レーザーが光り、光デイスク１に情報が記録されてゆく。トップパルスとマルチパルスでレーザーを光らせているときには、光ディスクの記録面に記録マークが形成される為に、この部分をマーク部と呼び、バイアスパワーで光っているときには、記録マークが形成されないで、間が開くために、スペース部と呼ぶこととする。
【００１９】
さてこのように、ウォブル信号と、ランドプレピット信号をＰＬＬ回路７に入力することにより、ウォブル信号の周期に合わせて、記録クロックを生成し、ランドプレピットによって、の位相を合わせることにより、記録データと、ランドプレピットの位置的な位相関係を合致させて記録することができることとなり、途中で記録を中断しても、それまでの記録データの位相関係がわかるために、無駄な領域を必要とせずに、書きつなぎができることとなる。
【００２０】
【発明の解決しようとする課題】
しかしながら、光ディスクに信号を記録する際には、記録するためのレーザー光をバイアスパワーから、１０倍近く強く光らせるライトパワーとの間で変調させる為に、光ディスクからの反射光も、記録中は、記録データの周波数帯域で１０倍近く変動することとなる。
【００２１】
従って、図２５にその波形を示すように、記録中には、プッシュプル信号が、記録レーザーの変調の影響を受けるので、マーク部とランドプレピットが重なったとき（Ａ点）では、高いライトパワーで光をディスクに照射しているために、その強さの光が反射光として返ってくるために、ランドプレピットの振幅は大きく検出される。
【００２２】
しかし、スペース部とランドプレピットが重なったとき（Ｂ点、Ｃ点）では、ライトパワーよりも、１０分の１程度のバイアスパワーで光が照射されているために、反射光から検出されるランドプレピットの振幅は１０分の１程度に小さく検出される。
【００２３】
このために、図２５のように、記録時のランドプレピットは、記録による変調信号に埋もれて、振幅が十分に取れず、マーク部と一致した時しか検出することが出来ない。
【００２４】
このために、ライトクロックを生成する際のゲインが低下し、ライトクロックと、プレピットの位相関係を正確に合わすことができないという課題が生じる。
【００２５】
そこで、本発明の目的は、ランドプレピットの再生を行う際に、スペース部でもランドプレピット信号を検出できる装置を提供し、ランドプレピットとライトデータの位相関係を正確に合致させることのできるランドプレピット検出装置を提供することを目的とする。
【００２６】
【課題を解決するための手段】
この目的を達成するために本発明のランドプレピット検出装置は、光ディスクからの再生信号であるラジアルプッシュプル信号を２値化する第１の２値化手段および第２の２値化手段と、第１の２値化手段の出力または第２の２値化手段の出力を選択信号により選択する信号選択手段とを備え、第１の２値化手段は、周波数処理器と第１の増幅器とを介して第１の比較器により２値化し、第２の２値化手段は、周波数処理器と第１の増幅器よりも増幅率の高い第２の増幅器とを介して第２の比較器により２値化し、選択信号は、光ディスクに記録マークを形成するマーク部とするか、記録マークを形成しないスペース部とするかを示す記録データとするものである。
【００２７】
これにより、マーク部での検出と、スペース部での検出とを最適化することができるので、的確にランドプレピット信号を検出することができる。
【００２８】
【発明の実施の形態】
本発明の第１の発明は、光ディスクからの再生信号であるラジアルプッシュプル信号を２値化する第１の２値化手段と、前記ラジアルプッシュプル信号を２値化する第２の２値化手段と、前記第１の２値化手段の出力または前記第２の２値化手段の出力を、選択信号により選択する信号選択手段とを備え、前記第１の２値化手段は、周波数処理器と第１の増幅器とを介して第１の比較器により２値化し、前記第２の２値化手段は、周波数処理器と前記第１の増幅器よりも増幅率の高い第２の増幅器とを介して第２の比較器により２値化し、前記選択信号は、前記光ディスクに記録マークを形成するマーク部とするか、記録マークを形成しないスペース部とするかを示す記録データとするものである。
【００２９】
これにより、マーク部のランドプレピットを２値化して検出するルートと、スペース部のランドプレピットを検出するルートを分離し、記録データによって、２値化出力信号を選択することにより、スペース部のランドプレピットを２値化する際に発生する不要なパルスを除去することができ、スペース部でも確実にランドプレピットを再生できることとなり、ランドプレピットと、記録データの位相関係を正確に合致させることができることとなる。
【００３０】
また、第２の発明は、光ディスクからの再生信号であるラジアルプッシュプル信号を２値化する第１の２値化手段と、前記ラジアルプッシュプル信号を２値化する第２の２値化手段と、前記第１の２値化手段の出力または前記第２の２値化手段の出力を、選択信号により選択する信号選択手段とを備え、前記第１の２値化手段は、周波数処理器と第１の増幅器とを介して第１の比較器により２値化し、前記第２の２値化手段は、周波数処理器と前記第１の増幅器よりも増幅率の高い第２の増幅器とを介して第２の比較器により２値化し、前記選択信号は、前記光ディスクに記録マークを形成するマーク部とするか、記録マークを形成しないスペース部とするかを示す記録データの位相を移動させた信号とするものである。これにより、実装などによる記録データの遅れなどの影響を補償することができ、記録データの出力を正確に捉えることができることとなり、スペース部でのランドプレピットの検出精度を向上させることができる。
【００３１】
また、第３の発明は、光ディスクからの再生信号であるラジアルプッシュプル信号を２値化する第１の２値化手段と、前記ラジアルプッシュプル信号を２値化する第２の２値化手段と、前記第１の２値化手段の出力または前記第２の２値化手段の出力を、選択信号により選択する信号選択手段とを備え、前記第１の２値化手段は、周波数処理器と第１の増幅器とを介して第１の比較器により２値化し、前記第２の２値化手段は、周波数処理器と前記第１の増幅器よりも増幅率の高い第２の増幅器とを介して第２の比較器により２値化し、前記選択信号は、前記光ディスクに記録マークを形成するマーク部とするか、記録マークを形成しないスペース部とするかを示す記録データのデューティ比を変えた信号であり、前記マーク部に相当するデューティの長さを前記記録データに相当するデューティの長さよりも長くするものである。これにより、記録パルスの変調成分で発生する不要な信号を除去でき、スペース部でのランドプレピット信号の検出精度を向上させることができる。
【００３２】
また、第４の発明は、第１〜第３の発明に加え、光ディスクに記録するためのレーザー変調パルスの先頭パルスに相当するパルスを生成するマスク信号生成器と、前記マスク信号生成器の出力により第１の２値化手段の出力をマスクして信号選択手段に出力するマスク器とを備えたものである。これにより、記録パワーが高いときでも、記録パワーの変調の影響により発生する不要パルスを除去することができ、記録パワーをあげても正確にランドプレピットを検出できる。
【００３３】
また、第５の発明は、第１〜第４の発明に加え、ラジアルプッシュプル信号の信号振幅または信号レベルを検出し、これに基づいて比較レベルを設定するレベル検出設定手段を備え、第１の比較器または第２の比較器に前記比較レベルを設定するものである。これにより、ディスクが変わり、プッシュプル信号の振幅が変わったときでも、振幅に応じた比較レベルの設定かできる為に、確実にランドプレピットの２値化が行えることとなる。
【００３４】
また、第６の発明は、第５の発明に加え、比較レベルは、再生時と記録マーク形成時とのレーザパワーの比率、または再生時と記録マーク非形成時とのレーザパワーの比率に基づき設定されるものである。これにより、マーク部だけでなく、スペース部の設定も、プッシュプル信号の振幅に応じた振幅に合わせることが出来るために、ディスクが変わり、プッシュプル信号の振幅が変わったときでも、確実にスペース部でのランドプレピットの２値化が行えることとなる。
【００３５】
また、第７の発明は、第１〜第６の発明に加え、第１の比較器または第２の比較器は、ラジアルプッシュプル信号と、前記ラジアルプッシュプル信号に周波数処理器を介した信号との比較を行うものである。これにより、信号振幅の時間的なレベル変動に追従して比較レベルが動くために、光ディスク内で、レベルの変動があっても、確実にランドプレピットを検出することができることとなる。
【００３６】
また、第８の発明は、第７の発明に加え、周波数処理器は、所定のレベルに信号をクランプするレベルクランパーと、バンドパスフィルタとから構成されるものである。これにより、比較に用いる信号から、確実にランドプレピット成分を除去でき、正確な２値化ができることとなる。
【００３７】
また、第９の発明は、少なくとも、第１〜第８の発明のランドプレピット検出装置と、前記ランドプレピット検出装置内の周波数処理器の出力を２値化してウォブル信号として出力する第３の比較器とを備えたものである。これにより、ウォブル検出に必要な回路を大幅に削減できることとなる。
【００３８】
また、第１０の発明は、第５〜第７の発明に加え、レベル検出設定手段は、再生時に比して、記録時にラジアルプッシュプル信号の波形中心からウォブル信号の反対側に比較レベルを設定するものである。これにより、既に記録されているマークの影響を除去し、記録のタイミングで正確にランドプレピットを検出することができ、記録開始時の誤動作を防止できることとなる。
【００３９】
以下、本発明の実施の形態について、図面を参照しながら、詳細に説明する。
【００４０】
（実施の形態１）
図１は本発明の実施の形態１におけるランドプレピット検出装置の構成を示したものである。
【００４１】
図１において、光ディスクからの再生信号である、プッシュプル信号は、マーク部ランドプレピット検出器３４及び、スペース部ランドプレピット検出器３６に分岐され、その出力は、記録データを選択信号とする信号選択器３９に入力されて、ランドプレピット信号が出力される。
【００４２】
マーク部ランドプレピット検出器３４中の３１は、周波数処理器であり、光ディスクからの再生信号である、プッシュプル信号から、ウォブル信号を除去する、ハイパスフィルターである。周波数処理器３１の出力は、第１の増幅器３２を介して第１の比較器３３により２値化される。
【００４３】
スペース部ランドプレピット検出器３６は、マーク部ランドプレピット検出器３４と同等のものであり、周波数処理器としてのハイパスフィルター３５、第２の増幅器３７を介して、第２の比較器３８でランドプレピットを２値化している。
【００４４】
第１の増幅器３２と、第２の増幅器３７は、マーク部とスペース部の光量比を打ち消すためのもので、マーク部は、ライトパワーが出力されるので、振幅が大きいが、スペース部では、バイアスパワーで照射されるために、光ディスクから検出される振幅が小さい。従って、第２の増幅器３７の増幅率は、第１の増幅器３２に比較してレーザーパワーの分、大きく設定されている。
【００４５】
信号選択器３９は、図２または図３に示す構成をしている。
【００４６】
図２にその構成を示すように、入力２を選択信号でマスクするマスク器４０と、入力１とマスク器４０の出力とを加算する加算器４１とから構成され、選択信号により入力１または入力２を選択をしている。
【００４７】
また、図３にその構成を示すように、切り換え器４２で直接入力１、入力２を切り換えてもよい。
【００４８】
いずれにしても、選択信号のハイ、ローによって、入力信号である、マーク部ランドプレピット検出器３４の出力と、スペース部ランドプレピット検出器３６の出力が選択されて出力されるものである。
【００４９】
このような、ランドプレピット信号検出装置について、その動作を図４と図５を参照しながら説明する。
【００５０】
図４は、本発明のランドプレピット信号検出装置の動作を示す信号図である。
【００５１】
光ディスクには、光ピックアップによって、記録データにそって、マークを記録して、光ディスクに情報を記録してゆくが、ハイ、ローと切り変わる記録データ（ａ）に対して、記録に用いるレーザーパワー（ｂ）は、記録マークを形成するところでは、高いパワーの記録パワーを頂点とし、さらなる高周波のパルスでいわゆるマルチパルス化されて、記録マークの形を整えている。
【００５２】
記録マークと記録マークの間は、記録パワーよりも低い、バイアスパワーで、レーザーが照射され、スペースとなる。
【００５３】
このようにして光ディスクには、記録マーク（ｃ）が形成されてゆく。
【００５４】
一方、記録中の反射信号は、反射信号（ｄ）で示すように、マーク部で、信号が現れ、スペース部で信号がなくなることとなる。
【００５５】
図４のように、マーク部にランドプレピットがある場合には、反射信号（ｅ）のように、マークで現れる信号に重なって、大きな振幅の信号となる。
【００５６】
この信号を第１の比較器３３によって、比較レベル（ｆ）によって、比較することにより、スペース部のランドプレピット信号（ｇ）が２値化信号として生成される。
【００５７】
続いて、スペース部にランドプレピットがある場合には、図５の反射信号（ｈ）に示すように、マークの反射信号よりも低いレベルでスペースでのランドプレピット信号が現れる。
【００５８】
これを２値化する為に、第２の比較レベル（ｉ）によって２値化すると、２値化信号（ｊ）で示すように、ランドプレピットとともに、マークに対応する信号を２値化してしまう。
【００５９】
そこで、記録データ（ａ）を選択信号（ｋ）として、２値化データ（ｊ）をマスクすると、すなわち、選択信号（ｋ）のロー区間のみ、２値化データ（ｊ）を有効にすると、スペース部のランドプレピット信号（ｌ）を出力することができることとなる。
【００６０】
このように、マーク部ランドプレピット検出器３４で検出したマーク部のランドプレピット信号と、スペース部検出器６で検出したスペース部のランドプレピット信号を記録データを選択信号とした信号選択器３９によって切り換えることにより、マーク部とスペース部ともに、ランドプレピット信号を検出することができるので、ランドプレピットによって補償されるＰＬＬのゲインを向上させることができ、安定して、ランドプレピットと、記録データの位置的位相を合致させることができることとなる。
【００６１】
（実施の形態２）
次に、本発明の実施の形態２について、図面を参照しながら、詳細に説明する。
【００６２】
図６は、本発明の実施の形態２におけるランドプレピット検出装置のブロック図である。
【００６３】
図６において、４３は、移相器であり、記録データの位相を移動させるものである。移相器４３は、図７にその構成を示すように、記録データを生成する記録クロックによって遅延させられるシフトレジスタ６０から構成されており、その移相器４３の出力信号は、信号選択器３９に入力されて、スペース部のランドプレピット信号と、マーク部のランドプレピット信号の選択を行っている。
【００６４】
ランドプレピットを２値化する部分は、高速な記録データを伝送するために、実際にレーザーパワーを出力させる記録データと、プッシュプル信号から検出されるランドプレピット信号の間に、遅延が生じる。この遅延を移相器４３を介すことにより補正することができ、確実にスペース部のランドプレピットを検出することができることとなる。
【００６５】
実際には、記録データ以外の信号も、記録データから遅延するために、ここでの移相器４３は、記録データを他の信号に比較して遅らせるだけでなく、他の信号に対して、位相を進めることも可能である。
【００６６】
また、移相器４３は、図７のように、シフトレジスタ６０で構成したが、フィルタで構成してもいい。
【００６７】
（実施の形態３）
次に、本発明の実施の形態３について、図面を参照しながら、詳細に説明する。
【００６８】
図８は、本発明の実施の形態３におけるランドプレピット検出装置のブロック図である。
【００６９】
実施の形態１と異なる点は、デューティ補正器４４を備え、信号選択器３９の選択信号は、記録データを移相器４３を介して、デューティ補正器４４を介して生成している点である。
【００７０】
デューティ補正器４４は、図９にその構成を示すように、ダイオード４５，抵抗器４６，コンデンサ４８，バッファアンプ４７で構成されている。
【００７１】
図１０に、かかるランドプレピット検出装置の動作を示す。
【００７２】
ランドプレピット検出装置で検出されたランドプレピットは、ＰＬＬによって、ウォブル周期から生成された記録クロックの位相を合わせる働きをしているが、その位相項成分が振られると、ランドプレピット信号は、図１０のスペース部にランドプレピットがあるときの反射信号（ｈ２）に示すように、マークの信号に引っ張られて、ランドプレピットとマークの間に不要信号（ｘ）が発生する。
【００７３】
この不要信号（ｘ）を２値化すると、２値化データ（ｊ２）に不要パルス（ｙ）が発生する。
【００７４】
デューティ補正器４４は、信号選択器３９の選択信号に使う、記録データのデューティを補正して、ハイの区間をローの区間よりも広げている。つまり、記録データ（ａ）よりも、デューティ補正後の選択信号（ｋ２）の方がマークに相当する長さを長くしている。
【００７５】
このようにすると、スペース部ランドプレピット検出部３６の出力のうち、スペース部でのマスク効果が向上するので、マークとランドプレピットの間に発生する不要パルス（ｙ）を除去することができ、正確なランドプレピット信号（ｌ２）を得ることができることとなる。
【００７６】
このように、記録データのデューティを補正して、選択信号とすることにより、不要パルスの無いランドプレピット信号を検出することができることとなり、外乱によって振られても、ランドプレピットと、記録データの位相を合致させることができることとなる。
【００７７】
なお、デューティ補正器４４を、ダイオード４５と、抵抗４６、コンデンサ４８、バッファアンプ４７の組み合わせとしたが、デューティを変えられるものなら何でもよく、高いクロックで生成し直すなど、別の方法も考えられる。
【００７８】
（実施の形態４）
次に本発明の実施の形態４について図面を参照しながら説明する。
【００７９】
図１１は、本発明の実施の形態４におけるランドプレピット生成装置の構成を示すブロック図である。
【００８０】
図１１において、第１ないし第３の実施の形態と異なる点は、マーク部ランドプレピット検出器３４の出力をマスクするマスク器５０を備えている点と、マスク器５０に入力するマスク信号は、記録パルスから、マスク信号生成器５１で生成している点である。
【００８１】
図１２に示すように、マーク部のランドプレピットの検出は、マルチパルスの変調を受けたレーザーパワーの反射光によって行うために、平均的なレーザーパワーが高い状態の場合には、マーク部にランドプレピットがあるときの反射信号（ｅ４）は、マルチパルスの部分で検出されるランドプレピット信号に比較して、トップパルスで検出される、マーク信号の方が大きくなる場合がある。
【００８２】
この場合には、ランドプレピット信号と一緒に、トップパルスで振幅の上がったマーク信号も２値化してしまう。
【００８３】
したがって、記録パルスのトップパルスを取り出して生成した、記録パルスから生成したマスク信号（ｈ４）をマスク信号生成器５１によって生成し、マスク器５０に入力することにより、高いレーザーパワーで記録した場合のマーク部の不要信号を除去することができ、マークの影響のない、ランドプレピット信号（ｉ４）を検出することができ、高いレーザーパワーでの検出精度が向上する。
【００８４】
（実施の形態５）
次に本発明の実施の形態５について図面を参照しながら説明する。
【００８５】
図１３は、本発明の実施の形態５におけるランドプレピット検出装置のブロック図である。
【００８６】
実施の形態１〜４と異なる点は、マーク部ランドプレピット検出器５５の周波数処理器と、比較器の構成が異なっている。
【００８７】
図１３において、マーク部ランドプレピット検出器５５に入力されたプッシュプル信号は、第１の増幅器３２を介して、２分され、第１の比較器３３に直接入力される信号と、周波数処理器５３を介して第１の比較器３３に入力される経路に分離される。
【００８８】
周波数処理器５３は、第１の増幅器３２を介して入力されたプッシュプル信号から、ランドプレピットの成分を除去し、ウォブル信号のみにするものであり、バンドパスフィルタや、信号をクランプするクランパーなどで構成されている。
【００８９】
５４は、レベル検出設定器であり、第１の比較器３３への入力される、プッシュプル信号の振幅やレベルを検出し、検出振幅やレベルにもとづいて、周波数処理器５３へは、クランプレベルを設定し、第１の比較器３３には、比較レベルのオフセットを印加するものである。
【００９０】
具体的には、レベル検出設定器５４は、ＡＤ変換器、ＤＡ変換器を有するマイコンで構成される。
【００９１】
図１４は、かかるレベル検出設定器の動作を示す信号図であり、ランドプレピット信号の乗ったプッシュプル信号と、レベル検出設定器５４の検出する検出レベルを示している。
【００９２】
光ディスクの再生中は、図１４に示すように、サイン波状のウォブル信号の頂点にランドプレピット信号が重畳されている。
【００９３】
この時のウォブル信号の頂点のレベルをＬＹとし、ランドプレピット信号の頂点のレベルをＬＸとレベル検出設定器５４が検出する。
【００９４】
図１５にその構成を示すように、周波数処理器５３は、ＬＸのレベルに入力されたウォブル信号をクランプし、それ以上のレベルの信号を出さないレベルクランパー５７と、その残差を除去するバンドパスフィルタ５８で構成されている。
【００９５】
ランドプレピットの信号成分が周波数処理器５３で除去された信号は、元の信号と、第１の比較器３３によって、レベル検出設定器５４からの比較レベルのオフセットを印加して比較される。
【００９６】
図１４に示すように、ＬＸのレベルと、ＬＹのレベルの中間にスライスレベルを設定すれば、ランドプレピット部分を２値化できるので、（ＬＸ−ＬＹ）／２のオフセットを振幅検出器５４は、第１の比較器３３に与えている。
【００９７】
光ディスクから情報を読み出すときには、このようにして、ランドプレピットを検出しているが、記録を開始すると、レーザーパワーは、再生時に比較して、高いレーザーパワーとなり、反射光も増大し、プッシュプル信号の中で、ウォブル信号も、ランドプレピット信号も増大するので、記録時の平均的なレーザーパワーと、再生時のレーザーパワーの比率分は、前段の増幅器、第１の増幅器３２などで吸収され、スライスレベルも、ウォブルと、ランドプレピットの頂点の中間値に比例的に設定される。
【００９８】
このように、レベル検出設定器５４によって、プッシュプル信号の振幅を検出し、スライスレベルを設定することにより、光ディスクの反射率がばらついても、正確にランドプレピットを検出することができる。
【００９９】
また、周波数処理器５３をレベル検出設定器５４で検出したレベルにもとづき信号をクランプするクランパーと、バンドパスフィルター５８で構成することにより、比較レベルから確実にランドプレピット信号を除去でき、光ディスクの周内で振幅変動や、レベル変動があっても確実に追従してランドプレピットを検出することができる。
【０１００】
さらに、この周波数処理器５３の出力を２値化すれば、そのまま、ウォブル信号が検出できるので、ウォブル検出装置を大幅に簡略化できることとなる。
【０１０１】
（実施の形態６）
次に本発明の実施の形態６について説明する。
【０１０２】
図１６は、本発明の実施の形態６におけるランドプレピット検出装置の構成を示すブロック図である。図１６において、実施の形態５と異なる点は、レベル検出設定器５４から、第２の比較器３８に比較レベルのオフセットを印加している点である。
【０１０３】
レベル検出設定器５４により、図１４に示す、ＬＸ，ＬＹのレベルを検出し、再生レーザーパワーと、記録中のスペース部のレーザーパワーに相当する比率分を加味して、第２の比較器３８の比較レベルにオフセットを加えると、スペース部のランドプレピットの検出時にも、レベル検出設定器５４の検出したプッシュプル信号のレベルに対応した比較レベルに設定することができる。
【０１０４】
このように、スペース部ランドプレピット検出器３６中の比較器３８に、レベル検出設定器５４の検出レベルに基づいたオフセットを印加することにより、マーク部、スペース部ともに、光ディスクの反射率のばらつきなどを考慮したプッシュプル信号の振幅に応じた比較レベルを設定することができるので、確実なランドプレピットの検出が可能となる。
【０１０５】
（実施の形態７）
次に本発明の実施の形態７について説明する。
【０１０６】
実施の形態７は、実施の形態５及び６と同等の構成であるが、レベル検出設定器５４の設定するオフセットを再生時の記録時に変えることによって、特有の効果を発揮している。
【０１０７】
図１７は、すでに記録された場所を再生しているときのプッシュプル信号の信号図であり、図１７において、図１４において、レベル検出設定器５４が検出したＬＸ，ＬＹのレベルを合わせて記述している。
【０１０８】
既に記録された部分は、ウォブル信号に記録マークの変調信号が重畳されている。また、ランドプレピット信号も、その変調信号が、スペースと重なった時には、ほぼ、未記録のレベルＬＸと同等だが、マークと重なった時には、ＬＺのレベルに下がってしまう。
【０１０９】
そこで、既に記録された部分のランドプレピットを再生する場合には、ランドプレピットを２値化する比較器の比較レベルは、ＬＸとＬＹの中間よりも、下側に設定する必要がある。
【０１１０】
記録時に、ランドプレピットから、ＰＬＬ回路によって、記録クロックを生成するときには、記録を開始していない再生時でも、ランドプレピットを再生し、記録開始に備える必要がある。
【０１１１】
実施の形態１〜６においても、再生時には、信号選択器３９は、マーク部ランドプレピット検出器の出力を選択するので、再生時には、この経路でランドプレピットが再生される。
【０１１２】
ところが、再生時には、既に記録されたトラックの場合に、マーク部の影響により、図１７に示すように、スライスレベルをＬＺよりも下に設定する必要がある。
【０１１３】
しかし、記録を開始すると、図１８に記録時の波形を示すように、ＬＺとＬＹの間に、記録レーザーの変調成分が漏れこんできてしまう。
【０１１４】
図１８は、記録時のプッシュプル信号の平均的な振幅を再生時と合うように、増幅器で調整した図を示している。
【０１１５】
従って、相対的に、ＬＹはウォブルの頂点に位置し、ＬＸは、ランドプレピットの頂点に位置している。
【０１１６】
記録時には、ＬＹに近いところに、記録レーザー変調の影響が出てくるために、ＬＺよりも高いところに比較レベルを設定することにより、記録レーザー変調の影響を除去し、ランドプレピットのみを検出できる。
【０１１７】
ＤＶＤ−Ｒの場合、記録を開始する位置は、かならず、未記録のトラックであるので、既に記録してあるトラックにあるマークの影響がなく、記録が開始されると、ランドプレピットの振幅は回復してくる。
【０１１８】
このように、再生時は、比較レベルをウォブル信号に近い側に設定し、記録開始とともに、比較レベルをランドプレピットの振幅の中間点よりも上げることにより、既に記録されたトラックのマークの影響と、記録開始後のレーザー変調の影響を除去でき、確実にランドプレピットを検出し、書きつなぎなどの突入点での誤検出を防止でき、確実な書きつなぎが実現できる。
【０１１９】
【発明の効果】
以上説明したように、本発明の第１の発明によれば、光ディスクからの再生信号であるプッシュプル信号を、マーク部のランドプレピットを２値化して検出するマーク部ランドプレピット検出器と、スペース部のランドプレピットを検出するスペース部ランドプレピット検出器に分離し、記録データによって、２値化出力信号を選択する信号選択器により、出力を切り換えることにより、スペース部のランドプレピットを２値化する際に発生する不要なパルスを除去することができ、スペース部でも確実にランドプレピットを再生できることとなり、ランドプレピットと、記録データの位相関係を正確に合致させることができることとなる。
【０１２０】
また、第２の発明では、記録データの位相を変えることのできる移相器を備えることにより、実装などによる記録データの遅れなどの影響を補償することができ、記録データの出力を正確に捉えることができることとなり、スペース部でのランドプレピットの検出精度を向上させることができる。
【０１２１】
また、第３の発明では、第１の発明によるランドプレピット検出装置に加えて、マスクに用いる記録データのデューティのマーク部を広くして、スペース部を狭くするデューティ補正器を介して加えることにより、記録パルスの変調成分で発生する不要な信号を除去でき、スペース部でのランドプレピット信号の検出精度を向上させることができる。
【０１２２】
また、第４の発明では、第１〜第３の発明によるランドプレピット検出装置に加えて、マーク部のランドプレピットを２値化する比較器の出力をマスクするマスク器を備え、光ディスクに記録するためのレーザー変調パルスの先頭パルスに相当するパルスを生成するマスク信号生成器を介して、マーク部の比較器出力をマスクするという構成とすることにより、記録パワーが高いときでも、記録パワーの変調の影響により発生する不要パルスを除去することができ、記録パワーをあげても正確にランドプレピットを検出できる。
【０１２３】
また、第５の発明では、第１〜第４の発明によるランドプレピット検出装置に加えて、プッシュプル信号の信号の振幅または信号レベルを検出し、それにもとづいたレベルを設定するレベル検出設定器を有し、第１の比較器または第２の比較器に、レベル検出設定器で比較レベルを設定するという構成とすることで、ディスクが変わり、プッシュプル信号の振幅が変わったときでも、振幅に応じた比較レベルの設定かできる為に、確実にランドプレピットの２値化が行えることとなる。
【０１２４】
また、第６の発明では、第１〜第５の発明によるランドプレピット検出装置に加えて、再生時のプッシュプル信号の信号の振幅または信号レベルを検出し、それにもとづいたレベルを設定するレベル検出設定器により、第１の比較器または、第２の比較器の比較レベルが設定され、第１の比較器に設定されるレベルは、再生時と記録マーク形成時のレーザーパワーの比率に基づいたレベルであり、第２の比較器に設定されるレベルは、再生時と、記録時で記録マークを形成しないレーザーパワーの比率に基づいたレベルであるという構成にすることにより、マーク部だけでなく、スペース部の設定も、プッシュプル信号の振幅に応じた振幅に合わせることが出来るために、ディスクが変わり、プッシュプル信号の振幅が変わったときでも、確実にスペース部でのランドプレピットの２値化が行えることとなる。
【０１２５】
また、第７の発明は、第１の比較器は、プッシュプル信号を、周波数処理器を介した信号と、介さない信号の比較を行う為に、信号振幅の時間的なレベル変動に追従して比較レベルが動くために、光ディスク内で、レベルの変動があっても、確実にランドプレピットを検出することができることとなる。
【０１２６】
また、第８の発明では、第７の発明によるランドプレピット検出装置に加えて、周波数処理器は、プッシュプル信号の信号の振幅または信号レベルを検出するレベル検出手段と、レベル検出設定器の検出して、設定するレベルに信号をクランプさせるレベルクランパーと、バンドパスフィルタから構成するとすることで、比較に用いる信号から、確実にランドプレピット成分を除去でき、正確な２値化ができることとなる。
【０１２７】
また、第９の発明では、第７及び第８の発明によるランドプレピット検出装置の周波数処理器の出力を２値化する比較器を設ける構成とすることで、ウォブル信号を得ることができ、ウォブル検出に必要な回路を大幅に削減できることとなる。
【０１２８】
また、第１０の発明では、第５および第６の発明のランドプレピット検出装置に加えて、比較レベル設定器は、再生よりも、記録時の方が、ラジアルプッシュプル信号の波形中心よりもウォブル信号と反対側に比較レベルを設定するという構成とすることで、既に記録されているマークの影響を除去し、記録のタイミングで正確にランドプレピットを検出することができ、記録開始時の誤動作を防止できることとなる。
【図面の簡単な説明】
【図１】本発明の実施の形態１によるランドプレピット検出装置の構成を示すブロック図
【図２】同ランドプレピット検出装置の信号選択器の回路構成図
【図３】同ランドプレピット検出装置の信号選択器の回路構成図
【図４】同ランドプレピット検出装置の動作を示す信号波形図
【図５】同ランドプレピット検出装置の動作を示す信号波形図
【図６】本発明の実施の形態２によるランドプレピット検出装置の構成を示すブロック図
【図７】同ランドプレピット検出装置の移相器の回路構成図
【図８】本発明の実施の形態３によるランドプレピット検出装置の構成を示すブロック図
【図９】同ランドプレピット検出装置のデューティ補正器の回路構成図
【図１０】同ランドプレピット検出装置の動作を示す信号波形図
【図１１】本発明の実施の形態４によるランドプレピット検出装置の構成を示すブロック図
【図１２】同ランドプレピット検出装置の動作を示す信号波形図
【図１３】本発明の実施の形態５によるランドプレピット検出装置の構成を示すブロック図
【図１４】同ランドプレピット検出装置の動作を示す信号波形図
【図１５】同ランドプレピット検出装置の周波数処理器の回路構成図
【図１６】本発明の実施の形態６によるランドプレピット検出装置の構成を示すブロック図
【図１７】同ランドプレピット検出装置の動作を示す信号波形図
【図１８】同ランドプレピット検出装置の動作を示す信号波形図
【図１９】光ディスクとしてのＤＶＤ−Ｒのフォーマットを示す平面図
【図２０】光ディスクとしてのＤＶＤ−Ｒの再生信号を示す信号波形図
【図２１】従来のランドプレピット検出装置の構成を示すブロック図
【図２２】従来のランドプレピット検出装置の動作を示す信号波形図
【図２３】従来の光ディスク装置の構成を示すブロック図
【図２４】レーザーパルスについて説明するための信号波形図
【図２５】従来例の課題を示す信号波形図
【符号の説明】
１  光ディスク
２  回転モーター
３  光ピックアップ
４  再生信号処理器
５  ウォブル検出装置
６  ランドプレピット検出装置
７  ＰＬＬ回路
８、９  位相比較器
１０、１１  ローパスフィルタ
１２  加算器
１３  ＶＣＯ
１４  分周器
１５  移相器
１６  エンコーダ
１７  マルチパルス生成回路
１８  レーザー駆動回路
１９  レーザーパワー設定手段
３１、３５  周波数処理器
３２  第１の増幅器
３３  第１の比較器
３４  マーク部ランドプレピット検出器
３６  スペース部ランドプレピット検出器
３７  第２の増幅器
３８  第２の比較器
３９  信号選択器
【図１】
0003876601.tif 000002
【図２】
0003876601.tif 000003
【図３】
0003876601.tif 000004
【図４】
0003876601.tif 000005
【図５】
0003876601.tif 000006
【図６】
0003876601.tif 000007
【図７】
0003876601.tif 000008
【図８】
0003876601.tif 000009
【図９】
0003876601.tif 000010
【図１０】
0003876601.tif 000011
【図１１】
0003876601.tif 000012
【図１２】
0003876601.tif 000013
【図１３】
0003876601.tif 000014
【図１４】
0003876601.tif 000015
【図１５】
0003876601.tif 000016
【図１６】
0003876601.tif 000017
【図１７】
0003876601.tif 000018
【図１８】
0003876601.tif 000019
【図１９】
0003876601.tif 000020
【図２０】
0003876601.tif 000021
【図２１】
0003876601.tif 000022
【図２２】
0003876601.tif 000023
【図２３】
0003876601.tif 000024
【図２４】
0003876601.tif 000025
【図２５】
0003876601.tif 000026